(57)【要約】【課題】  ４つの上蓋フラップの端部同士を順次上下交互に重合させるように組立てられる段ボール箱において、従来のものでは、第４番目に折畳まれる上蓋フラップの端部を先に折畳んだ第１番目の上蓋フラップの端部の下側に潜り込ませる作業が面倒であった。【解決手段】  ４つの上蓋フラップ２１〜２４における一方の端部２１ａ〜２４ａが隣接側の上蓋フラップの上側に位置する一方、各上蓋フラップにおける他方の端部２１ｂ〜２４ｂが隣接する上蓋フラップの下側に位置するように組立て上蓋２を閉蓋するようにした段ボール箱において、対向する位置にある２つの上蓋フラップ２２，２４における閉状態でそれぞれ下側となる端部２２ｂ，２４ｂに、該各端部の角部を三角形状に折曲し得る折り目線２５を形成し、第４番目の上蓋フラップの端部角部を折り目線２５で折り曲げ状態で第１番目の上蓋フラップの下側に潜りこませることができるようにした。【選択図】      図２
2007230624.tif 000002
【特許請求の範囲】
【請求項１】
側周壁（１）となる周囲４面の側板（１１〜１４）の各上端にそれぞれ折り目線（１７，１７・・）を介して上蓋（２）となる合計４つの上蓋フラップ（２１〜２４）を連続させるとともに、各上蓋フラップ（２１〜２４）における一方の端部（２１ａ〜２４ａ）が隣接側の上蓋フラップの上側に位置する一方、各上蓋フラップ（２１〜２４）における他方の端部（２１ｂ〜２４ｂ）が隣接する上蓋フラップの下側に位置するように組立て上蓋（２）を閉蓋するようにした段ボール箱であって、
４つの上蓋フラップ（２１〜２４）のうちの対向する位置にある２つの上蓋フラップ（２２，２４）における閉状態でそれぞれ下側となる端部（２２ｂ，２４ｂ）に、該各端部（２２ｂ，２４ｂ）の角部を三角形状に折曲し得る折り目線（２５）を形成している、
ことを特徴とする段ボール箱。
【請求項２】
請求項１において、
折り目線（２５）を形成した各上蓋フラップ（２２，２４）の折り目線形成側の端部（２２ｂ，２４ｂ）を被覆する隣接側の各上蓋フラップ（２１，２３）の上側となる端部（２１ａ，２３ａ）に、それぞれ三角形状に切欠いた切除部（２６）を形成している、
ことを特徴とする段ボール箱。
【発明の詳細な説明】
【技術分野】
【０００１】
本願発明は、各種の物品を収容するための段ボール箱に関するものである。
【背景技術】
【０００２】
図４及び図５には、例えばレタスやキャベツのような球状野菜を収容するのに適した一般的な段ボール箱を示している。この従来の段ボール箱は、図４の展開図に示すように、段ボール紙製で、側周壁となる第１〜第４側板１１〜１４（糊代片１５を含む）を順次折り目線１６を介して左右に連続させ、該第１〜第４側板１１〜１４の各上端にそれぞれ折り目線１７を介して上蓋フラップ２１〜２４を連続させるとともに、第１〜第４側板１１〜１４の各下端にそれぞれ折り目線１８を介して底蓋フラップ３１〜３４を連続させている。尚、この段ボール箱は、糊代片１５を第４側板１４の側縁に接着させ、偏平に畳んだ状態で出荷される。又、図４及び図５に示す従来例では、図５（Ｃ）に示すように段ボール箱に組立た状態において、上蓋２の中央部に小開口面積の覗き窓４を形成するようにしている関係で、各上蓋フラップ２１〜２４の突出高さを適宜小幅にしている。
【０００３】
そして、図４に示す段ボール箱（予め、糊代片１５を第４側板１４の側縁に接着させている）は、図５（Ａ）〜（Ｃ）に示すようにして組立られる。即ち、まず、図５（Ａ）に示すように第１〜第４側板１１〜１４を矩形に広げて四角筒状の側周壁１とした状態で、図４の各底蓋フラップ３１〜３４を常法によって組立て底蓋３を閉じ、次に図５（Ｂ）に示すように順次第１上蓋フラップ２１、第２上蓋フラップ２２、第３上蓋フラップ２３をそれぞれ内側に折畳んだ後、最後の第４上蓋フラップ２４を内側に折畳んで、図５（Ｃ）に示すように上蓋２を閉状態に組立てる。その際、第１〜第３の各上蓋フラップ２１〜２３は、順次内側に折畳むだけで、隣接する上蓋フラップの端部同士（２１ｂと２２ａ、２２ｂと２３ａ）が順次上下交互に重合していくが、第４上蓋フラップ２４を内側に折畳む際には、図５（Ｂ）に鎖線図示するように第１上蓋フラップ２１の端部（角部）２１ａ′を上方に撓ませる一方、第４上蓋フラップ２４の端部（角部）２４ｂ′を下方に撓ませて、該第４上蓋フラップ２４の端部２４ｂ′を第１上蓋フラップ２１の端部２１ａ′の下側に潜り込ませる必要がある。
【０００４】
図５（Ｃ）の組立状態では、上蓋２は、各上蓋フラップ２１〜２４のそれぞれ一方の端部（下側端部）２１ｂ〜２４ｂが隣接側の各上蓋フラップの他方の端部（上側端部）２１ａ〜２４ａで押さえられた状態で閉蓋されているので、このままで（例えば、接着剤による接着やステップル等の止め具を使用することなく）上蓋２を閉状態に維持することができる。尚、上蓋２の閉状態では、図５（Ｃ）に示すように、上蓋２の中央部に小開口面積の覗き窓４が形成されていて、内部に収容される収納物品が外部から見えるようになっている。
【発明の開示】
【発明が解決しようとする課題】
【０００５】
ところで、段ボール紙は、波形に折曲した波形芯紙（図４及び図５に点線図示している）の表裏にそれぞれ表面紙を貼着して保形性（剛性）を確保したものであり、従ってそのままでは折り曲げにくい性状を有している。尚、図４及び図５に示す段ボール箱では、段ボール紙の波形芯紙の凹凸筋線が点線図示する方向に向いており、該波形芯紙の凹凸筋線方向に対して交差する方向（直交方向又は斜め方向）には撓曲させにくい性状となっている。
【０００６】
そして、図５に示す段ボール箱のように、各上蓋フラップ２１〜２４を順次一方の端部２１ａ〜２４ａが上側で他方の端部２１ｂ〜２４ｂが下側になる重合状態で組立てて上蓋２を閉蓋するものでは、最後に折畳む上蓋フラップ（第４上蓋フラップ２４）の下側となる端部２４ｂを隣接側の上蓋フラップ（第１上蓋フラップ２１）の端部２１ａの下方に潜り込ませる必要があるが、その際には、図５（Ｂ）に鎖線図示するように、第１上蓋フラップ２１の端部（角部）２１ａ′を上方に撓ませる一方、第４上蓋フラップ２４の端部（角部）２４ｂ′を下方に撓ませながら行う。このとき、各端部２１ａ，２４ｂを撓曲させる方向は、波形芯紙の凹凸筋線に対して斜め方向（撓曲させにくい方向）である。
【０００７】
従って、上記した従来例の段ボール箱では、最後に折畳む上蓋フラップ（第４上蓋フラップ）２４の端部２４ｂを隣接側の上蓋フラップ（第１上蓋フラップ）２１の端部２１ａの下側に潜り込ませる（各端部２４ｂ，２１ａを撓曲させる）のに大きな撓曲力が必要であるとともに、重合部分の面積が大きいと一方の端部を他方の端部の下側に潜り込ませる作業がしにくくなるという問題がある。又、上蓋フラップの各端部を強引に撓ませようとすると、該上蓋フラップが不特定部分で折れ曲がり、組立後に折れ線が外部に露出して見栄えが悪くなるという問題もあった。
【０００８】
そこで、本願発明は、４つの上蓋フラップの端部同士を順次上下交互に組付けて上蓋を構成するようにした段ボール箱において、上蓋における最後（第４番目）に折畳む上蓋フラップの端部を隣接する上蓋フラップの端部の下側に容易に組付け得るようにすることを目的としてなされたものである。
【課題を解決するための手段】
【０００９】
本願発明は、上記課題を解決するための手段として次の構成を有している。
【００１０】
本願請求項１の発明
本願請求項１の発明は、段ボール箱を対象にしたものであるが、段ボール箱の材料となる段ボール紙は波形芯紙の表裏にそれぞれ表面紙を貼着して保形性（剛性）を確保したものである。従って、段ボール紙は、特に波形芯紙の凹凸筋線方向に交差する方向（直交方向及び斜め方向）には撓曲させにくい性状となっている。
【００１１】
又、本願請求項１の発明の段ボール箱は、側周壁となる周囲４面の側板の各上端にそれぞれ折り目線を介して上蓋となる合計４つの上蓋フラップを連続させるとともに、上蓋の組立状態では、各上蓋フラップにおける一方の端部が順次隣接側の上蓋フラップの上側に位置する一方、各上蓋フラップにおける他方の端部が隣接する上蓋フラップの下側に位置するようにしたものである。
【００１２】
この段ボール箱の組立状態では、隣接する各上蓋フラップの端部同士が順次上下交互に重合するように組立られるので、このままで（例えば、接着剤による接着やステップル等の止め具を使用することなく）上蓋を閉状態に維持することができる。又、各上蓋フラップは、突出高さを適宜小幅にして、上蓋組立状態において上蓋の中央部に小開口面積の覗き窓が形成されるようにすることができる。
【００１３】
尚、本願発明が適用される段ボール箱は、組立状態での形状が平面視において長方形のものが好適であるが、平面視正方形の段ボール箱にも適用できる。
【００１４】
そして、この請求項１の発明の段ボール箱では、４つの上蓋フラップのうちの対向する位置にある２つの上蓋フラップにおける閉状態でそれぞれ下側となる端部に、該各端部の角部を三角形状に折曲し得る折り目線を形成している。尚、段ボール箱が平面視長方形のものでは、各折り目線を、対向する２つの短辺側上蓋フラップにおける対角線位置の各角部に形成するか、あるいは対向する２つの長辺側上蓋フラップにおける対角線位置の各角部に形成する。
【００１５】
各上蓋フラップ（２つの上蓋フラップ）の端部の折り目線は、該上蓋フラップの端部角部を三角形状に折曲するものであるが、この場合、各折り目線が段ボール紙の波形芯紙の凹凸筋線方向に対して傾斜方向に形成される。この各折り目線は、段ボール箱組立状態において外面となる側（内面となる側でもよい）に押し筋状に形成しておき、上蓋フラップの端部角部を折り目線部分で内折りし得るようにしている。又、この各折り目線で折曲される端部角部は、折曲させた後に折曲力を解除する（手を離す）と自然に弾性復帰して、１枚の上蓋フラップ全体が扁平状態に復帰するようになっている。尚、この上蓋フラップの端部角部の折り目線は、段ボール箱製造時に押し型により他の折り目線とともに同時に加工することができる。
【００１６】
本願請求項１の段ボール箱は、次のようにして組立られる。尚、段ボール箱に物品（例えばレタスやキャベツ等の球状野菜）を収容して出荷する業者（例えば農家や農協）は、同じ物品を一度に大量に梱包することが多く、段ボール箱への物品梱包作業も同種の作業が多数回行われる。そして、本願の段ボール箱として平面視が長方形のものを使用する場合は、各上蓋フラップを閉側に折畳む順序を次のように決めておくとよい。即ち、例えば各短辺側上蓋フラップに折り目線を形成している場合には、第１番目に折畳む上蓋フラップとしていずれか一方の長辺側上蓋フラップ（折り目線なし）を選択するとともに、第４番目に折畳む短辺側上蓋フラップの折り目線形成側の端部が第１番目に折畳んだ長辺側上蓋フラップの下側に潜り込ませ得る位置になる条件で折畳み順序を決めておく。そして、毎回同じ順序で各上蓋フラップを折畳むことで、第４番目に折畳む短辺側上蓋フラップの折り目線形成側の端部を常に第１番目の長辺側上蓋フラップの下側に潜り込ませ得る位置に位置させることができる。
【００１７】
ところで、段ボール箱の組立時において、第１番目に折畳むべき上蓋フラップを特定できれば、折り目線付きの上蓋フラップは１つでもよいが、平面視長方形の段ボール箱でも、対向位置にある２つの上蓋フラップ（長辺側上蓋フラップ同士、短辺側上蓋フラップ同士）は相互に同形であるので、第１番目に折畳む上蓋フラップとして例えば長辺側のものに決めている場合でも、どちらを第１番目に折畳めばよいか識別しにくい。
【００１８】
そこで、本願では、対向位置にある２つの上蓋フラップ（２つの長辺側上蓋フラップ又は２つの短辺側上蓋フラップ）の端部角部にそれぞれ折り目線を形成している。このように、対向位置にある２つの上蓋フラップに折り目線を形成しておけば、折り目線のない一対の上蓋フラップのうちのどちらを第１番目に折畳んでも、第４番目に折畳まれる上蓋フラップは必ず折り目線付きのものとなり、対向位置にある同形の上蓋フラップのいずれを第１番目に折畳めばよいか悩む必要がなくなる。
【００１９】
本願請求項１の段ボール箱を使用するには、まず側周壁を構成する周囲４面の側板を矩形に広げた状態で、底蓋を構成する４つの底蓋フラップを閉状態に組付けて有底箱状に成形しておく。そして、この段ボール箱内に物品を収容した後、第１番目から第３番目までの各上蓋フラップを上記のように決めた順序通りに折畳んでいき、次に第４番目の折り目線付き上蓋フラップ（例えば短辺側上蓋フラップ）の端部角部を折り目線部分で内側に折り曲げる。この状態では、第４番目の上蓋フラップ（短辺側上蓋フラップ）における第１番目の上蓋フラップ（長辺側上蓋フラップ）に対する重合代が小さくなり、該第４番目の上蓋フラップ（短辺側上蓋フラップ）の端部角部を第１番目の上蓋フラップ（長辺側上蓋フラップ）の下側に潜り込ませるときの各上蓋フラップ端部の撓ませ量を少なくできる。従って、挿入側（第４番目）の上蓋フラップの端部角部を受け側（第１番目）の上蓋フラップの下側に潜り込ませる作業が容易となる。そして、挿入側（第４番目）の上蓋フラップの端部角部を受け側（第１番目）の上蓋フラップの下側に潜り込ませた後、該端部角部に対する折曲力を解除することで（必要に応じて折れ曲がっていた端部角部を扁平に延ばす）、当該上蓋フラップの端部同士の上下重合作業が完了する。
【００２０】
この状態では、上蓋は、各上蓋フラップのそれぞれ一方の端部（下側端部）が隣接側の各上蓋フラップの他方の端部（上側端部）で押さえられた状態で閉蓋されているので、上蓋に対して特に閉止手段（例えば、接着剤による接着やステップル等の止め具）を使用しなくても、上蓋を閉状態に維持することができる。
【００２１】
本願請求項２の発明
本願請求項２の発明は、上記請求項１の段ボール箱において、折り目線を形成した各上蓋フラップの折り目線形成側の端部を被覆する隣接側の各上蓋フラップの上側となる端部に、それぞれ三角形状に切欠いた切除部を形成している。
【００２２】
このように、各上蓋フラップの上側となる端部にそれぞれ三角形状に切欠いた切除部を形成しておくと、第４番目の上蓋フラップの下側となる端部角部を折り目線部分で内側に折り曲げた際に、第４番目の上蓋フラップにおける第１番目の上蓋フラップに対する重合代が一層小さくなる（あるいは重合代がなくなる）。尚、この場合も、第４番目の上蓋フラップを折り目線部分で折り曲げた状態で内側に折畳んだ後、その折り曲げた端部角部を隣接側の上蓋フラップの下側に展張させて、両上蓋フラップの端部同士を上下に重合させる。
【００２３】
この請求項２の場合、上蓋フラップにおける折り目線形成側の端部と隣接側の切除部形成側の端部との重合代は、一方に切除部がある分だけ小さくなるが、このような小さい重合代でも上蓋を閉状態に維持するのに十分な係止力を有している。
【発明の効果】
【００２４】
本願請求項１の発明の効果
本願請求項１の段ボール箱は、４つの上蓋フラップにおけるそれぞれ一方の端部が順次隣接側の上蓋フラップの上側に位置する一方、各上蓋フラップにおける他方の端部が隣接する上蓋フラップの下側に位置するように組立て上蓋を閉蓋するようにしたものにおいて、４つの上蓋フラップのうちの対向する位置にある２つの上蓋フラップにおける閉状態でそれぞれ下側となる端部に、該各端部の角部を三角形状に折曲し得る折り目線を形成している。そして、上蓋の組立てに際して、第４番目に折畳む上蓋フラップ（折り目線付き）の端部角部を折り目線部分で折り曲げることで、隣接側の上蓋フラップの端部との重合代を小さくできる。
【００２５】
従って、本願請求項１の段ボール箱では、各上蓋フラップにおける第４番目の上蓋フラップの端部角部を第１番目の上蓋フラップの下側に潜り込ませる際に、両上蓋フラップの端部付近を過度に撓ませる必要がなくなり、上蓋の組立作業が容易に行えるという効果がある。
【００２６】
又、上記折り目線は対向位置にある２つの上蓋フラップに形成しているので、上蓋の閉蓋作業時に、折り目線のない一対の上蓋フラップ（２つの長辺側上蓋フラップ又は２つの短辺側上蓋フラップ）のうちのどちらを第１番目に折畳んでも、第４番目に折畳まれる上蓋フラップは必ず折り目線付きのものとなる。
【００２７】
従って、この請求項１の段ボール箱では、対向位置にある同形の上蓋フラップ（折り目線がないもの）のいずれを第１番目に折畳めばよいか悩む必要がなくなる（折畳み順序の選択間違いが起こらない）、という効果がある。
【００２８】
本願請求項２の発明の効果
本願請求項２の発明は、上記請求項１の段ボール箱において、折り目線を形成した各上蓋フラップの折り目線形成側の端部を被覆する隣接側の各上蓋フラップの上側となる端部に、それぞれ三角形状に切欠いた切除部を形成している。
【００２９】
この請求項２の段ボール箱では、第４番目の上蓋フラップの下側となる端部角部を折り目線部分で内側に折り曲げた際に、第４番目の上蓋フラップにおける第１番目の上蓋フラップに対する重合代が一層小さくなる（あるいは重合代がなくなる）。
【００３０】
従って、この請求項２の段ボール箱は、上記請求項１の効果に加えて、挿入側（第４番目）の上蓋フラップの端部角部を受け側（第１番目）の上蓋フラップの下側に潜り込ませる作業が一層容易に行えるという効果がある。
【実施例】
【００３１】
以下、図１〜図３を参照して本願実施例の段ボール箱を説明する。尚、図１にはこの実施例の段ボール箱の展開図を示し、図２にはこの段ボール箱の第１組立例を示し、図３にはこの段ボール箱の第２組立例を示している。
【００３２】
この実施例の段ボール箱は、例えばレタスやキャベツのような球状野菜を収容するのに適したもので、図２（Ｃ）又は図３（Ｃ）に示す組立状態において上蓋２の中央部に所定小開口面積の覗き窓４が形成されるものが採用されている。
【００３３】
この実施例の段ボール箱は、図１の展開図に示すように、段ボール紙製で、側周壁となる第１〜第４側板１１〜１４（糊代片１５を含む）を順次折り目線１６を介して左右に連続させ、該第１〜第４側板１１〜１４の各上端にそれぞれ折り目線１７を介して上蓋フラップ２１〜２４を連続させるとともに、第１〜第４側板１１〜１４の各下端にそれぞれ折り目線１８を介して底蓋フラップ３１〜３４を連続させたものが使用されている。尚、各図において、一点鎖線で示す線（符号１６，１７，１８，２５）は、それぞれ折曲し易くするための折り目線であり、該各折り目線は、図１に示す展開状態の段ボール箱原紙を裁断する際に押し型により同時に成形することができる。
【００３４】
この段ボール箱に使用されている段ボール紙は、波形に折曲した波形芯紙（図１〜図３に点線図示している）の表裏にそれぞれ表面紙を貼着して保形性（剛性）を確保したものであり、特に波形芯紙の凹凸筋線方向に交差する方向（直交方向及び斜め方向）には撓曲させにくい性状となっている。
【００３５】
尚、図１の示す展開状態の段ボール箱原紙は、糊代片１５を第４側板１４の側縁に接着させ、偏平に畳んだ状態で出荷される。
【００３６】
この実施例の段ボール箱は、図２（Ｃ）又は図３（Ｃ）に示す組立状態において、平面視が長方形になるものが採用されている。従って、側周壁１となる各側板１１〜１４、上蓋２となる各上蓋フラップ２１〜２４、底蓋３となる各底蓋フラップ３１〜３４は、それぞれ対向する位置に１組の長辺部分と１組の短辺部分とを有している。
【００３７】
各上蓋フラップ２１〜２４は、図２（Ｃ）又は図３（Ｃ）に示す組立状態において、上蓋２の中央部に小開口面積の覗き窓４を形成するようにしている関係で、それぞれ突出高さを適宜小幅にしている。
【００３８】
各上蓋フラップ２１〜２４には、それぞれ一方の端部２１ａ〜２４ａに三角形状に切欠いた切除部２６が形成されている。この各切除部２６は、図１の展開状態において、符号２６ａ部分を切除したものである。
【００３９】
又、４つの上蓋フラップ２１〜２４のうちの対向する２つの短辺側上蓋フラップ２２，２４には、該各短辺側上蓋フラップ２２，２４の切除部２６とは反対側の端部２２ｂ，２４ｂに、その各端部角部を三角形状に折曲するための折り目線２５を形成している。この各折り目線２５，２５は、段ボール箱組立状態において外面となる側（内面となる側でもよい）に押し筋状に形成しておき、各短辺側上蓋フラップ２２，２４の端部角部２２ｂ，２４ｂを折り目線部分で内折りし得るようにしている。尚、他の実施例では、各折り目線２５は、各長辺側上蓋フラップ２１，２３の各端部に形成してもよい。
【００４０】
底蓋を構成する４つの底蓋フラップ３１〜３４において、図１に示すように、一対の短辺側底蓋フラップ３２，３４にはそれぞれ略円弧状の溝穴３５が形成されている一方、一対の長辺側底蓋フラップ３１，３３にはそれぞれ両端部に突片３６，３６が形成されている。そして、底蓋３（図２）は、各底蓋フラップ３１〜３４をそれぞれ内側に折畳み、各長辺側底蓋フラップ３１，３３の突片３６を短辺側底蓋フラップ３２，３４の溝穴３５に差込むことで組立て得るようになっている。
【００４１】
この実施例の段ボール箱を使用するには、側周壁１を構成する周囲４面の側板１１〜１４を矩形に広げた状態で、４つの底蓋フラップ３１〜３４を組付けて底蓋３を閉じ、図２（Ａ）又は図３（Ａ）に示す有底箱状に成形しておく。そして、この段ボール箱内に物品を収容した後、各上蓋フラップ２１〜２４を順次内側に折畳んで上蓋２を閉じるが、各上蓋フラップ２１〜２４の折畳み順序は、第１番目に折畳む上蓋フラップとして折り目線のない長辺側上蓋フラップ（２１又は２３）とし、且つ図示例の段ボール箱では各上蓋フラップを時計回り順に折畳むように決定しておく。尚、各上蓋フラップ２１〜２４の折畳み順として、図２の第１組立例では第１番目が符号２１の長辺側上蓋フラップとし、図３の第２組立例では第１番目が符号２３の長辺側上蓋フラップとしたものである。
【００４２】
そして、第１番目に折畳む上蓋フラップとして符号２１の長辺側上蓋フラップを選択した場合は、図２の第１組立例のように、第１番目に符号２１の長辺側上蓋フラップを折畳んだ後、時計回り順に第２番目として符号２２の短辺側上蓋フラップ、第３番目として符号２３の長辺側上蓋フラップをそれぞれ折畳むと、図２（Ｂ）の状態となる。次に、第４番目の短辺側上蓋フラップ２４を折畳むが、図２（Ｂ）の状態において、まず第４番目の短辺側上蓋フラップ２４の折り目線２５側の端部２４ｂの角部を該折り目線２５部分で内側に折り曲げ（鎖線図示する符号２４ｂ′の状態となる）、続いて該短辺側上蓋フラップ２４を折り目線１７で内側に折畳む（鎖線図示する符号２４′の状態となり、折り目線２５が符号２５′の位置にある）。このとき、先に折畳んでいる第１番目の長辺側上蓋フラップ２１の上側となる端部２１ａに切除部２６があるので、第４番目の短辺側上蓋フラップ２４（符号２４′の状態）の折り目線側端部２４ｂが第１番目の長辺側上蓋フラップ２１の端部２１ａに衝合することなく折畳める。そして、折り曲げていた短辺側上蓋フラップ２４の端部角部２４ｂから手を離すと（必要に応じて該端部角部２４ｂを元の扁平状態に展張させると）、図２（Ｃ）に示すように第４番目の短辺側上蓋フラップ２４の端部角部２４ｂが長辺側上蓋フラップ２１の端部２１ａの下側に潜り込んだ状態で上下に重合するようになる。尚、図２（Ｃ）の組立状態では、上蓋２は、各上蓋フラップ２１〜２４のそれぞれ一方の端部（下側端部）２１ｂ〜２４ｂが隣接側の各上蓋フラップの他方の端部（上側端部）２１ａ〜２４ａで押さえられた状態で閉蓋されている。
【００４３】
又、第１番目に折畳む上蓋フラップとして符号２３の長辺側上蓋フラップを選択した場合は、図３の第２組立例のように、第１番目に符号２３の長辺側上蓋フラップを折畳んだ後、時計回り順に第２番目として符号２４の短辺側上蓋フラップ、第３番目として符号２１の長辺側上蓋フラップをそれぞれ折畳むと、図３（Ｂ）の状態となる。次に、第４番目の短辺側上蓋フラップ２２を折畳むが、図３（Ｂ）の状態において、まず第４番目の短辺側上蓋フラップ２２の折り目線２５側の端部２２ｂの角部を該折り目線２５部分で内側に折り曲げ（鎖線図示する符号２２ｂ′の状態となる）、続いて該短辺側上蓋フラップ２４を折り目線１７で内側に折畳む。この場合も、先に折畳んでいる第１番目の長辺側上蓋フラップ２３の上側となる端部２３ａに切除部２６があるので、第４番目の短辺側上蓋フラップ２２の折り目線側端部２２ｂが第１番目の長辺側上蓋フラップ２３の端部２３ａに衝合することなく折畳める。そして、折り曲げていた短辺側上蓋フラップ２２の端部角部２２ｂから手を離すと（必要に応じて該端部角部２２ｂを元の扁平状態に展張させると）、図３（Ｃ）に示すように第４番目の短辺側上蓋フラップ２２の端部角部２２ｂが長辺側上蓋フラップ２３の端部２３ａの下側に潜り込んだ状態で上下に重合するようになる。尚、図３（Ｃ）の組立状態でも、上蓋２は、各上蓋フラップ２１〜２４のそれぞれ一方の端部（下側端部）２１ｂ〜２４ｂが隣接側の各上蓋フラップの他方の端部（上側端部）２１ａ〜２４ａで押さえられた状態で閉蓋されている。
【００４４】
このように、この実施例の段ボール箱では、図２（Ａ）又は図３（Ａ）の状態から各上蓋フラップ２１〜２４を折畳む際に、折り目線のない２つの上蓋フラップ（長辺側上蓋フラップ２１，２３）のいずれを第１番目に折畳んでも、第４番目の上蓋フラップ（短辺側上蓋フラップ２４又は２２）として折り目線２５付きのものが残るので、対向位置にある同形の上蓋フラップ（長辺側上蓋フラップ２１，２３）のいずれを第１番目に折畳めばよいか悩む必要がなくなる（折畳み順序の選択間違いが起こらない）。又、第４番目に折畳まれる上蓋フラップ（短辺側上蓋フラップ２４又は２２）に折り目線２５があるので、該折り目線２５を利用して第４番目の上蓋フラップの端部角部（２４ｂ又は２２ｂ）をスムーズに（簡単に）第１番目の上蓋フラップ（２１又は２３）の下側に潜り込ませることができる。
【００４５】
又、各上蓋フラップにおける折り目線２５付きの端部角部（２２ｂ，２４ｂ）に隣接する上蓋フラップの上側となる端部（２１ａ，２３ａ）に三角形状に切欠いた切除部２６を設けているので、第４番目の上蓋フラップの端部を第１番目の上蓋フラップの端部の下側に潜り込ませる際の端部同士の重合代が小さくなり（又はなくすことができ）、一層スムーズに組立てることができる。
【図面の簡単な説明】
【００４６】
【図１】本願実施例の段ボール箱の展開図である。
【図２】図１の段ボール箱の第１組立例を示す工程図である。
【図３】図１の段ボール箱の第２組立例を示す工程図である。
【図４】従来の一般的な段ボール箱の展開図である。
【図５】図４の段ボール箱の組立工程図である。
【符号の説明】
【００４７】
１は側周壁、２は上蓋、３は底蓋、４は覗き窓、１１〜１４は側板、１６〜１７は折り目線、２１〜２４は上蓋フラップ、２１ａ〜２４ａは上側となる端部、２１ｂ〜２４ｂは下側となる端部、２５は折り目線、２６は切除部である。
【図１】
2007230624.tif 000003
【図２】
2007230624.tif 000004
【図３】
2007230624.tif 000005
【図４】
2007230624.tif 000006
【図５】
2007230624.tif 000007